(57)【要約】【課題】他装置への出力中、または、ストレージコミットメント中の画像を保護しながら画像処理・画像付帯情報を変更した画像を出力可能とし、また出力後に画像付帯情報の誤りを修正可能とし、画像運用の効率を向上できる医用画像処理装置、医用ネットワークシステム及び医用画像処理装置のためのプログラムを提供する。【解決手段】この医用画像処理装置は、医用画像情報を他の装置から受信し、画像処理を行い、他の装置に送信する際に、他の装置への出力中、または、ストレージコミットメント中は、画像処理及び画像付帯情報の変更を禁止し、この変更の禁止中に、画像処理及び／又は画像付帯情報の変更・保存を行うとき、別画像として保存するかどうかの警告を表示し、別画像としての保存が指示されたとき別画像として保存する。【選択図】  図３
2004295332.tif 000002
【特許請求の範囲】
【請求項１】
医用画像情報を他の装置から受信し、画像処理を行い、他の装置に送信する医用画像処理装置であって、
画像処理及び画像付帯情報を変更し保存する手段と、
前記他の装置への出力中、または、ストレージコミットメント中は、前記画像処理及び前記画像付帯情報の変更を禁止する手段と、
前記変更の禁止中に、前記画像処理及び／又は前記画像付帯情報の変更・保存を前記変更保存手段により行うとき、別画像として保存するかどうかの警告を表示する手段と、
前記別画像としての保存が指示されたとき別画像として保存する手段と、を備えることを特徴とする医用画像処理装置。
【請求項２】
前記他の装置への出力後、または、前記ストレージコミットメント後に、前記変更・保存を行うときに別画像として保存するかどうかの警告を表示する請求項１に記載の医用画像処理装置。
【請求項３】
請求項１または２に記載の医用画像処理装置と、医用画像情報を生成し前記医用画像処理装置に送信する医用画像生成装置と、前記画像処理した画像情報を前記医用画像処理装置から受信し所定の処理を行う装置と、を含むことを特徴とする医用ネットワークシステム。
【請求項４】
医用画像情報を他の装置から受信し、画像処理を行い、他の装置に送信する医用画像処理装置が備えるコンピュータのためのプログラムであって、
前記他の装置への出力中、または、ストレージコミットメント中は、前記画像処理及び前記画像付帯情報の変更を禁止するステップと、
前記変更の禁止中に、前記画像処理及び／又は前記画像付帯情報の変更・保存を行うとき、別画像として保存するかどうかの警告を表示するステップと、
前記別画像としての保存が指示されたとき別画像として保存するステップと、を前記コンピュータに実行させることを特徴とするプログラム。
【請求項５】
前記他の装置への出力後、または、前記ストレージコミットメント後に、前記変更・保存を行うときに別画像として保存するかどうかの警告を表示する請求項４に記載のプログラム。
【発明の詳細な説明】
【０００１】
【発明の属する技術分野】
本発明は、医用画像処理装置、医用ネットワークシステム及び医用画像処理装置のためのプログラムに関するものである。
【０００２】
【従来の技術】
放射線画像は、病気診断などに多く用いられており、この放射線画像を得るために、ＣＲ（ｃｏｍｐｕｔｅｄ  ｒａｄｉｏｇｒａｐｈｙ）の撮像モダリティ放射線照射部からの被写体を透過した放射線をプレート状の輝尽性蛍光体に吸収させた後、この輝尽性蛍光体を例えばレーザ光で走査しながら励起することによりこの輝尽性蛍光体が上記吸収により蓄積している放射線エネルギ（放射線画像情報）を蛍光として発光せしめ、この蛍光を光電変換して放射線画像信号を得て放射線画像を読み取るようにした医用画像生成装置が公知である。かかるレーザ光の走査により輝尽性蛍光体プレートから発生する蛍光を集光し、フォトマルチプライヤで光電変換し、この電気信号を増幅し、このアナログ信号から変換したデジタル信号に基づいて画像処理することにより放射線画像を読み取り医用画像情報を生成する（例えば、下記特許文献１参照）。
【０００３】
従来、上述のような医用画像生成装置で読み取り生成した医用画像情報を画像処理装置に送り所定の画像処理を行い、画像表示装置（ビューア）や画像形成装置（プリンタ）や画像保存装置（画像サーバ）等の外部装置に出力している。画像処理された医用画像情報を画像保存装置（画像サーバ）に保管し、医師が必要に応じて、医用画像を読み出して診断に供するが、かかるシステムには、ＤＩＣＯＭ（ｄｉｇｉｔａｌ  ｉｍａｇｉｎｇ  ａｎｄ  ｃｏｍｍｕｎｉｃａｔｉｏｎ  ｍｅｄｉｃｉｎｅ）規格にあるストレージコミットメント（ｓｔｏｒａｇｅ  ｃｏｍｍｉｔｍｅｎｔ「保存委託」）サービスが適用できる。
【０００４】
上述のようなストレージコミットメントを効率よく行いスループットを向上させるために、ストレージコミットメント中は画像を削除しないことが下記特許文献２に記載されている。また、出力先がプリンタであり、ハードコピーへの出力のとき、ハードコピーが正常に終了するまで、プロテクトをかけることが下記特許文献３に記載されている。
【０００５】
しかし、上述のように、他装置への出力中、または、ストレージコミットメント中の画像を保護するために変更を禁止すると、画像処理を変更した画像をハードコピー（フィルム出力）したくともできず、また出力後に患者／検査情報の誤りに気付いたので修正したいが、気付いた時点で修正できないといった不都合が生じてしまう。
【０００６】
ストレージコミットメントは、画像保存装置の保存終了を認識するため、画像保存装置が数日毎にメディアに保存する場合には、数日間プロテクトされたままとなるため、より運用に支障を来す可能性がある。
【０００７】
【特許文献１】
特開平１１−３４４７８３号公報
【０００８】
【特許文献２】
特開２００１−２５００００公報
【０００９】
【特許文献３】
特許第３００６７６４号公報
【００１０】
【発明が解決しようとする課題】
本発明は、上記従来技術の問題に鑑み、他装置への出力中、または、ストレージコミットメント中の画像を保護しながら画像処理・画像付帯情報を変更した画像を出力可能とし、また出力後に画像付帯情報の誤りを修正可能とし、画像運用の効率を向上させることができる医用画像処理装置、医用ネットワークシステム及び医用画像処理装置のためのプログラムを提供することを目的とする。
【００１１】
【課題を解決するための手段】
上記目的を達成するために、本発明による医用画像処理装置は、医用画像情報を他の装置から受信し、画像処理を行い、他の装置に送信する医用画像処理装置であって、画像処理及び画像付帯情報を変更し保存する手段と、前記他の装置への出力中、または、ストレージコミットメント中は、前記画像処理及び前記画像付帯情報の変更を禁止する手段と、前記変更の禁止中に、前記画像処理及び／又は前記画像付帯情報の変更・保存を前記変更保存手段により行うとき、別画像として保存するかどうかの警告を表示する手段と、前記別画像としての保存が指示されたとき別画像として保存する手段と、を備えることを特徴とする。
【００１２】
この医用画像処理装置によれば、他装置への出力中、または、ストレージコミットメント中の画像を保護しながら画像処理・画像付帯情報を変更した画像を出力可能とし、画像運用の効率を向上させることができる。
【００１３】
上記医用画像処理装置において前記他の装置への出力後、または、前記ストレージコミットメント後に、前記変更・保存を行うときに別画像として保存するかどうかの警告を表示することで、出力後に画像付帯情報の誤りを修正可能とする。
【００１４】
本発明による医用ネットワークシステムは、上述の医用画像処理装置と、医用画像情報を生成し前記医用画像処理装置に送信する医用画像生成装置と、前記画像処理した画像情報を前記医用画像処理装置から受信し所定の処理を行う装置と、を含むことを特徴とする。
【００１５】
この医用ネットワークシステムによれば、画像保存装置やプリンタ等の所定の処理を行う装置への出力中、または、ストレージコミットメント中の画像を保護しながら画像処理・画像付帯情報を変更した画像を出力可能とし、また出力後に画像付帯情報の誤りを修正可能とし、医用ネットワークシステムにおける画像運用の効率を向上させることができる。
【００１６】
本発明によるプログラムは、医用画像情報を他の装置から受信し、画像処理を行い、他の装置に送信する医用画像処理装置が備えるコンピュータのためのプログラムであって、前記他の装置への出力中、または、ストレージコミットメント中は、前記画像処理及び前記画像付帯情報の変更を禁止するステップと、前記変更の禁止中に、前記画像処理及び／又は前記画像付帯情報の変更・保存を行うとき、別画像として保存するかどうかの警告を表示するステップと、前記別画像としての保存が指示されたとき別画像として保存するステップと、を前記コンピュータに実行させることを特徴とする。
【００１７】
このプログラムによれば、他装置への出力中、または、ストレージコミットメント中の画像を保護しながら画像処理・画像付帯情報を変更した画像を出力可能とし、画像運用の効率を向上させることができる。
【００１８】
上記プログラムにおいて前記他の装置への出力後、または、前記ストレージコミットメント後に、前記変更・保存を行うときに別画像として保存するかどうかの警告を表示することで、出力後に画像付帯情報の誤りを修正可能とする。
【００１９】
なお、上記各プログラムは、保存の指示を含むステップについて、ユーザによる指示の操作をユーザが適切に行うことができるようなインターフェイスを表示させることで実行させる。
【００２０】
【発明の実施の形態】
以下、本発明による実施の形態の医用ネットワークシステムについて図面を用いて説明する。図１は本発明の実施の形態による医用ネットワークシステムの構成を示す図である。
【００２１】
図１の医用ネットワークシステムは、被写体（患者）の放射線画像情報が記録された輝尽性蛍光体パネルを励起光で走査して発光させ、その光を光電変換して画像情報を得るＣＲ（ｃｏｍｐｕｔｅｄ  ｒａｄｉｏｇｒａｐｈｙ）の撮像モダリティにより医用画像を生成する医用画像生成装置１と、医用画像生成装置１から画像ファイルを入力し、画像処理を実施した後に画像情報を出力する医用画像処理装置２と、パーソナルコンピュータ（パソコン）やワークステーション等からなり、放射線科医師が画像を参照し診断を行うための画像表示装置（ビューア）３と、を備える。
【００２２】
図１の医用ネットワークシステムは、画像を表示するパソコンやワークステーション等からなり、画像を参照するが診断は行わないので画像表示装置３に比べ解像度等の画質は劣る参照用端末４と、パソコンやワークステーション等からなり画像データベースに画像ファイルを保管するとともに画像表示装置３及び参照用端末４から画像を検索し読み出すことができる画像保存装置（画像サーバ）５と、医用画像生成装置１または医用画像処理装置２からの画像データをフィルムや紙等の記録媒体に可視画像として出力する複数のプリンタ６，７と、を備える。また、図１の医用ネットワークシステムには、オーダ情報の管理のためのＲＩＳ／ＨＩＳ（オーダ情報管理装置）８が接続されている。
【００２３】
図１の医用ネットワークシステムは、ネットワーク１０を介して各装置１〜８がオンライン接続され、情報を互いに送信しかつ受信できるようになっている。
【００２４】
次に、図１の医用画像処理装置２に関する次の事項Ａ〜Ｈを順に詳細に説明する。
Ａ．装置構成
Ｂ．情報
Ｃ．ファイル
Ｄ．主な情報の入力・表示
Ｅ．画像確認手順
Ｆ．出力
Ｇ．出力画像の形成
Ｈ．ユーティリティ機能
【００２５】
Ａ．装置構成
図２は医用画像処理装置２の構成を示すブロック図である。
【００２６】
ａ．図２に示す医用画像処理装置２は、放射線画像撮影システム全体の動作を制御する主制御装置２１と、ＣＲＴディスプレイや液晶パネル等からなり医用画像生成装置１等で得られたデジタル画像データを表示するための画像表示部２２とを備え、パーソナルコンピュータから構成でき、入力キーボードやマウス等の情報入力装置を含む。
【００２７】
図２に示すように、医用画像処理装置２は更に、画像生成装置１等からの画像ファイルを受信する受信部４０と、ハードディスク装置やＲＡＭ等から構成され受信した画像ファイル等の情報及び画像処理後の画像情報を記憶する保存部４１と、画像ファイル中の画像情報について画像処理を行う画像処理部４２と、外部装置に出力するための出力画像を形成する出力画像形成部４３と、受信した画像の画像確認等のために縮小画像を画像表示部２２に表示させる画像確認処理部４５とを含む。主制御装置２１により各部分４０〜４３，４５及び表示装置２２等が制御される。
【００２８】
ｂ．医用画像処理装置２の機能は次のとおりであり、各機能は主制御装置２１により制御される。
▲１▼医用画像生成装置１等より画像ファイルを受信部４０で受信する。
▲２▼画像ファイルを保存部４１に一時保存する。
▲３▼画像品質を画像確認処理部４５で作成した縮小画像で確認する。
▲４▼画像処理部４２で画像処理を実施する。
▲５▼出力画像形成部４３で出力画像を形成する。
▲６▼出力画像をネットワーク１０を介して画像表示装置３、画像サーバ５、プリンタ６，７等の外部装置（出力先）へ転送する。
【００２９】
Ｂ．情報
医用画像処理装置２で取り扱う情報は以下の５つに分類できる。
【００３０】
ａ．条件情報
画像ファイルを受信して、処理された画像ファイルとして画像サーバ５等の外部装置へ出力するための条件情報であり、次のものが含まれる。
（ａ）画像処理情報
画像処理部４２における階調処理、周波数処理に関する情報である。
（ｂ）出力装置情報
画像データを再生・出力する画像サーバ５等の外部装置に関する情報であり、画像サーバ５等の出力装置毎に出力領域、拡大縮小率、出力フォーマット（マルチフォーマット、分割撮影フォーマット）、オーバーレイ、階調処理及び周波数処理の有無等を指定する。
（ｃ）オーバーレイ情報
ＡＰ／ＰＡ・Ｒ／Ｌ・コメント、取り消しマーク（二重線、×等）等のオーバーレイの有無・位置等の情報がある。
オーバーレイは画像上の位置を自由に変更可能である。
撮影時、鉛マーカーのＡＰ、ＰＡ等を間違って撮影してしまった場合、画像上の鉛マーカー部分に、取り消しマークを上書きし、ＡＰ／ＰＡ等の文字を任意の位置にオーバーレイすることで、間違いを明確に修正可能である。
（ｄ）特殊指定
プロテクトの情報：画像出力後も、プロテクトを外すまで画像ファイルを保存する。
保留（ペンディング）の情報：転送を保留する。後で画像を見直してから転送したい場合に指定する。
優先（緊急）の情報：緊急撮影の場合など優先的に出力したい場合に指定する。キューの先頭に登録される。
【００３１】
ｂ．患者情報
患者に関する情報である。
（ａ）患者ＩＤ情報
患者ＩＤ番号、氏名、性別、生年月日等が含まれる。
（ｂ）オーダー情報
医師が撮影依頼をする情報である。
患者の状態に関する情報、検査依頼に関する日時・方法の指示等が含まれる。
【００３２】
ｃ．実施情報
受信、画像処理した結果に関する情報である。
（ａ）受信結果  撮影日時等が含まれる。
（ｂ）画像処理結果
画像処理パラメータ算出結果であり、出力時にこの結果に基づき画像データを画像処理する。
（ｃ）システム情報
撮影が行われた時点でのシステム構成等、システム情報の一部が含まれる。
【００３３】
ｄ．システム情報
（ａ）図１のシステムを管理・制御するための情報。
（ｂ）図１のシステムの構成（接続されている画像サーバ５等の外部装置、その名称）。
（ｃ）図１のシステムを構成する機器を制御するためのパラメータ、テーブル。
（ｄ）入力装置である医用画像生成装置１に関する設定情報
（ｅ）プリンタ６の情報、ＨＯＳＴ情報等、出力装置に関する設定情報。
【００３４】
ｅ．画像データ
（ａ）医用画像生成装置１より受信した画像データ。
（ｂ）画像確認のために画像データより作成した表示用縮小画像データ
（ｃ）画像確認処理部４５での表示用縮小画像の画像処理のための画像処理用縮小画像データ。
（ｄ）階調処理、周波数処理等を施した出力画像データ。
【００３５】
Ｃ．ファイル
医用画像処理装置２で取り扱うファイルは保存部４１に保存され、以下の７つに分類できる。
【００３６】
ａ．条件ファイル
条件キーは画像ファイルに対する画像処理条件、出力条件をあらかじめセットしておくキーである。条件キー毎に対応した条件ファイルを持つ。条件ファイルは上記条件情報で構成される。撮影部位（肺野、腹部、頭部等）、撮影体位（立位、臥位等）、撮影方向（正面、側面等）、患者の特徴（性別、年齢、体格等）、病名、使用する技師等により分類し、それぞれに対応した名称、撮影情報をあらかじめ設定しておく。そして、主制御装置２１は、複数に分類した各分類毎に、条件ファイル群を設定し、設定された条件ファイル群毎に複数の条件ファイルを設定し、保存部４１に保存する。画像受信時にもっとも適した条件を一つ選ぶ。
【００３７】
ｂ．画像ヘッダファイル
受信後、画像ヘッダファイルが作成される。画像ヘッダはその撮影の予約ファイル（すなわち撮影情報、患者情報）、撮影実施情報で構成される。ユーザが撮影情報、患者情報、撮影実施情報を参照、変更する場合は画像ヘッダファイルを参照する。
【００３８】
ｃ．縮小画像ファイル
画像データを何分の一かに縮小した画像データである。
（ａ）表示用縮小画像データ
図２の画像表示部２２に表示されるデータは、この表示用縮小画像を使用する。
（ｂ）画像処理用縮小画像データ
画像処理を実施するためのパラメータを算出する縮小画像データである。縮小率は縮小後の１画素があらかじめ指定された同一長さになるように決定する。これにより読取画素サイズの違いを縮小後の画像で補正できる。画像処理パラメータの算出は、画像処理用縮小画像で行われ、画像データは使用しない。
【００３９】
ｄ．画像ファイル
（ａ）画像ファイルは、画像付帯情報（画像ヘッダ）と画像データで構成される。
（ｂ）画像ヘッダは条件情報、患者情報、実施情報で構成される。
ユーザが条件情報、患者情報、実施情報を参照し、変更する場合は画像ヘッダを参照する。
【００４０】
ｅ．出力画像ファイル
周波数処理・階調処理・オーバーレイ・回転・拡大縮小のうち指定された処理を施した出力画像データのファイルである。
【００４１】
ｆ．システムファイル
上記システム情報をファイル化したものである。
【００４２】
Ｄ．主な情報の入力・表示
【００４３】
ａ．受信画像情報表示
受信画像をサムネイル表示する。
【００４４】
ｂ．出力情報表示
▲１▼出力サイズ、向き、トリミング位置、出力位置、拡大縮小方法等を指定する。あらかじめ条件ファイルに登録する。
▲２▼条件キーが選択されると、あらかじめ指定された条件で出力領域、出力画像領域が決定され、画像表示部２２の画面上に表示される。画像表示部２２の画面上の出力領域表示エリアの大きさを出力における最大出力領域とする。出力領域、出力画像領域を、出力領域表示エリアにグラフィック表示する。これにより、適切な出力領域、出力画像領域の選択、確認を装置毎に行うことができる。
【００４５】
ｃ．オーバーレイ情報
▲１▼「ＡＰ」、「ＰＡ」、「Ｒ」、「Ｌ」、コメント、目盛り等をオーバーレイするか否か、どの位置にオーバーレイするかを指定する。あらかじめ条件ファイルに登録する。
▲２▼画像表示部２２の画面の出力領域表示エリアに、出力画像を表示し、そこにオーバーレイ情報をグラフィック表示する。
▲３▼適切なオーバーレイの選択、位置の指定をできる。
▲４▼オーバーレイに隠れて見えない部分が無いことを確認できる。オーバーレイにより診断に不都合が生じる場合は移動できる。
【００４６】
ｄ．ＲＩＳからのオンライン情報入出力
▲１▼医師からのオーダーを入力する。入力したオーダーを、本システムのフォーマットに変換し予約ファイルに保存する。撮影部位、撮影方法を対応する撮影条件キーで変換する。
▲２▼画像ヘッダファイルをＲＩＳ側フォーマットに変換し出力する。
【００４７】
ｅ．画像リスト
画像ファイルをリストとして表示することができる。
【００４８】
Ｅ．画像確認手順
ａ．画像確認時のシステムの動作
（１）画像ファイルを医用画像生成装置１より受信し、保存部４１に格納する。
（２）保存部４１の記憶媒体に格納された画像ファイルは、画像確認処理部４５であらかじめ指定された縮小率で縮小される。
（３）順次、縮小画像が画像表示部２２の画面に表示される。
（４）受信及び表示終了後、デジタル画像情報は撮影条件キーによってあらかじめ指定された方法で画像処理され画像表示部２２に再表示される。画像処理のパラメータの決定には縮小画像が使用される。
（５）画像表示部２２に順次、表示され、表示終了後階調処理された画像を再表示する。
（６）オペレータが、画像表示部２２に表示される受信画像を見て正常画像と判断した場合は、文字情報入力装置より受信終了を確認するためのキーを入力し画像確認は終了する。
（７）患者情報、画像処理方法、出力方法等を変更したい場合には、文字情報入力装置から新たな情報を入力することができる。
（８）画像確認キーが押されるとその画像の画像確認は終了し自動的に次の画像が表示される。
（９）画像に問題がある場合は、画像処理の変更することができる。保留として、後で詳細な画像処理の変更が可能である。
（１０）画像確認キーが入力されると画像確認は終了し、以下の処理がされる。
▲１▼画像ファイルが確認済み画像ファイルとして保存部４１に保存される。
▲２▼画像確認が終了した画像は外部装置への出力のためにキューに登録される。
▲３▼次に受信された画像ファイルが表示されて、画像確認可能となる。
（１１）保留キーが入力されると画像確認は終了する。
【００４９】
Ｆ．出力
▲１▼出力は受信、画像確認とは非同期に行われる。
▲２▼キューは外部装置毎に作られて管理され、それぞれのキューは互いに独立に動作し、影響し合わない。したがって出力は装置毎に非同期に行われる。
▲３▼画像がどの外部装置のキューに登録されているかは保存部４１にキュー登録テーブルとして保存され、キューへの登録、削除毎に更新されて管理される。
▲４▼キューに登録された画像は登録された順に外部装置に出力され、出力が終了した画像はキューから削除される。
▲５▼出力を実行するときには、キューに登録されている番号から、保存部４１に記憶されている画像ファイルを特定する。
▲６▼画像ファイルに保存されている条件で出力画像が形成される。画像ヘッダは出力装置毎に決められるフォーマットに変換され、画像データと共に転送される。
【００５０】
Ｇ．出力画像の形成
【００５１】
ａ．出力画像は、出力画像形成部４３で主に以下の処理で形成される。
▲１▼保存部４１から画像用メモリへ、画像データを読み出す。
▲２▼周波数処理を行う。
▲３▼イコライゼーション処理
▲４▼階調処理を行う
▲５▼画像の回転を行う
▲６▼ミラー反転を行う
▲７▼拡大縮小を行う
▲８▼オーバーレイを行う
【００５２】
ｂ．▲２▼〜▲８▼は実行するかどうかを条件情報で出力装置毎に指定できる。
【００５３】
ｃ．▲２▼〜▲８▼の指定された処理をした画像データを処理済み画像データファイルとして保存することを指定できる。各出力装置への出力画像の共通処理部分の再処理をなくす。
【００５４】
ｄ．例えば、各出力装置への出力画像の拡大縮小率が違う場合、▲６▼まで処理済みの画像を保存しておけば、別装置へ転送する場合、▲６▼まで処理済みの画像を読み出し、▲７▼▲８▼のみ処理を行い転送することで、▲２▼〜▲６▼での時間を短縮できる。
【００５５】
ｅ．▲５▼▲６▼を▲２▼▲３▼▲４▼のいずれかと同時に実行する。メモリのアクセスが減り、処理時間を短縮できる。
【００５６】
Ｈ．ユーティリティ機能
【００５７】
ａ．ユーザのためのユーティリティとしていくつかの機能を持つ。
ユーティリティ機能はパスワードにより、一般ユーザ、マネージャー、メーカー毎に機能が制限される。特に画像に関する情報の変更は、セキュリティのためにマネージャーのパスワードを必要とする。
【００５８】
ｂ．画像ファイル操作
▲１▼画像ファイルリストが表示され、保存されている画像に関する情報が受信順に画像表示部２２に表示される。
▲２▼リスト中から所望の画像を選択すると、患者情報、条件情報、画像が画像確認時の画面と同様の形態で表示される。
▲３▼患者情報、画像処理方法、出力方法等を変更することができる。
▲４▼撮影時に「保留」を指定された画像は、ここで再確認することで「保留」が解除される。
▲５▼各外部装置へ出力するかどうか、出力順を変更できる。
【００５９】
ｃ．撮影記録、照射録
▲１▼撮影情報、患者情報を統計処理し、撮影記録、照射録としてユーザに提供する。
▲２▼指定された期間の撮影部位毎の撮影数、一日に撮影した撮影条件のリスト等を出力できる。
【００６０】
ｄ．カスタマイズ
画面、操作性をユーザ毎にカスタマイズできる。
【００６１】
次に、図１，図２の医用画像処理装置２において、他装置への出力中、または、ストレージコミットメント中に、プロテクトされた画像について変更する動作について図３、図４を参照して説明する。
【００６２】
図３は図１，図２の医用画像処理装置の動作を説明するためのフローチャートである。図４は図３のステップＳ０９〜Ｓ１１における表示画面の例を示す図である。
【００６３】
図１，図２の医用画像処理装置２が画像生成装置１から画像及び画像付帯情報を受信すると（Ｓ０１）、画面に表示し画像処理を行い（Ｓ０２）、ポインティングデバイス等で画像を選択し（Ｓ０３）、画像出力開始許可を指示すると（Ｓ０４）、図１の画像保存装置５やプリンタ６，７に出力を開始する（Ｓ０５）。
【００６４】
出力が開始された画像にはプロテクトがかけられ（Ｓ０６）、画像・画像付帯情報の変更が禁止され、患者／検査情報及び画像処理の変更による改ざん、誤った画像削除操作による画像消失から保護される。
【００６５】
例えば、画像保存装置５へのＤＩＣＯＭ規格によるストレージ（Ｓｔｒａｇｅ）出力及びプリント出力は、送信が正常終了するまで、プロテクトがかけられる。更に、ストレージコミットメントでは画像保存装置５から確実に保存されたことを示す情報か通知されるまで、プロテクトがかけられる。
【００６６】
上述のプロテクト中に、この画像処理及び／又は画像付帯情報を変更する場合（Ｓ０７）、画像処理及び／又は画像付帯情報を変更し（Ｓ０８）、変更内容を保存するためのボタンをクリックすると、図４のような警告画面２４が図２の画像表示部２２に表示され（Ｓ０９）、画像の出力中は変更できないことを警告する。
【００６７】
次に、図４の警告画面２４において「別画像として保存する」をチェック欄２４ａでポインティングデバイスによりクリックして選択し（Ｓ１０）、警告画面２４でＯＫボタン２４ｂを押すと（Ｓ１１）、その変更後の画像をコピーして別画像を生成し図２の保存部４１に保存する（Ｓ１２）。次に、ステップＳ０３に戻り、その画像を選択し、出力指示することで画像処理及び／又は画像付帯情報を変更した画像を出力できる。
【００６８】
また、図４の警告画面２４において「変更を破棄する」をチェック欄２４ａで選択し（Ｓ１０）、警告画面２４でＯＫボタン２４ｂを押すと、その変更が破棄される（Ｓ１３）。
【００６９】
以上のように、本実施の形態によれば、他装置への出力中、または、ストレージコミットメント中の画像をプロテクトをかけることで保護しながら、画像処理・画像付帯情報を変更した画像を別画像として保存することで、プリンタ等へ出力可能とすることができる。また、図３のステップＳ０７において、上述のプロテクト（Ｓ０６）が終了した後でも、画像処理及び／又は画像付帯情報を変更することができるので、出力後に患者／検査情報の誤りに気付いたときには、気付いたときに修正のための変更を行うことができる。このようにして、図１の医用ネットワークシステムにおける画像運用の効率を向上させることができる。
【００７０】
以上の本実施の形態における医用画像処理装置２の各動作は、記憶装置に格納されたプログラムに従って図２の主制御装置２１により制御され、必要な情報処理及び図４等のようなインターフェイス等の画面表示が実行される。
【００７１】
以上のように本発明を実施の形態により説明したが、本発明はこれらに限定されるものではなく、本発明の技術的思想の範囲内で各種の変形が可能である。例えば、医用画像生成装置としては、患者の放射線画像情報が記録された輝尽性蛍光体パネルから放射線画像を読み取るようにしたＣＲ装置以外に、Ｘ線フラットパネルディテクタを用いた放射線画像撮影装置、ＣＴ（ｃｏｍｐｕｔｅｄ  ｔｏｍｏｇｒａｐｈｙ：コンピュータ断層撮影装置）  、ＭＲＩ（ｍａｇｎｅｔｉｃ  ｒｅｓｏｎａｎｃｅ  ｉｍａｇｉｎｇ：核磁気共鳴映像装置）、ＤＲ（ｄｉｇｉｔａｌ  ｒａｄｉｏｇｒａｐｈｙ：デジタルラジオグラフィー）、ＵＳ（ｕｌｔｒａｓｏｕｎｄ：超音波診断装置）などの医用画像生成装置であってもよいことは勿論であり、また、本発明による医用ネットワークシステムにこれらの各医用画像生成装置をそれぞれ接続するようにしてもよい。
【００７２】
【発明の効果】
本発明の医用画像処理装置、医用ネットワークシステム及び医用画像処理装置のためのプログラムによれば、医用画像処理装置から所定の処理を行う他の装置への出力中、または、ストレージコミットメント中の画像を保護しながら画像処理・画像付帯情報を変更した画像を出力可能とし、また出力後に画像付帯情報の誤りを修正可能とし、画像運用の効率を向上させることができる。
【図面の簡単な説明】
【図１】本実施の形態による医用ネットワークシステムの構成を示す図である。
【図２】図１の医用画像処理装置２の構成を示すブロック図である。
【図３】図１，図２の医用画像処理装置の動作を説明するためのフローチャートである。
【図４】図４は図３のステップＳ０９〜Ｓ１１における表示画面の例を示す図である。
【符号の説明】
１・・・医用画像生成装置
２・・・医用画像処理装置
５・・・画像保存装置、画像サーバ（他の装置）
６，７・・・プリンタ（他の装置）
１０・・・ネットワーク
２１・・・主制御装置
２２・・・画像表示部
４１・・・保存部
２４・・・警告画面
【図１】
2004295332.tif 000003
【図２】
2004295332.tif 000004
【図３】
2004295332.tif 000005
【図４】
2004295332.tif 000006